(57)【要約】【課題】主装置のソフトウェアを変更することなく、新たな機能を追加することが可能なボタン電話システムのボタン電話端末を提供する。【解決手段】ＡＤＭに備えられていたＡＤＭキーの一部をオートダイヤルキー（ＡＤ１〜ＡＤ１０）１３、フレキシブルキー（ＦＫ２１〜ＦＫ２４）１４としてデジタルボタン電話端末本体１に設けるようにし、さらにオートダイヤルキー１３及びフレキシブルキー１４に設定された機能を、ＡＤＭで既に使用されている制御データコードに対応付けて機能情報記憶部に登録しておくようにして、オートダイヤルキー１３及びフレキシブルキー１４が押下された際に、押下されたキーに対応する制御データコードを読み出してボタン電話主装置に送信することで、ボタン電話主装置との間で実行すべく任意の通信機能を特定できるようにした。【選択図】    図１
2004282206.tif 000002
【特許請求の範囲】
【請求項１】
複数の端末と、これら複数の端末に対しそれぞれ通信ポートを介して接続可能な主装置とを備え、前記端末と前記主装置との間で互いに使用すべく制御データコードが異なる既知の第１の通信機能群を実行するための第１の操作手段を前記端末に設けたデジタルボタン電話システムで前記端末として使用され、
前記端末と前記主装置との間で前記第１の通信機能群とは異なる第２の通信機能群を実行するための第２の操作手段を備えた機能拡張部を、前記端末に接続可能であり、前記機能拡張部が前記端末に接続された場合に、前記第２の操作手段により該第２の通信機能群の中から任意の機能の制御データコードが選択されることで選択した通信機能を実行するボタン電話端末であって、
前記端末本体に前記第２の操作手段を設け、
かつ前記第２の通信機能群のそれぞれを表す機能情報を、前記機能拡張部で使用されている制御データコードごとに格納する機能情報格納手段と、
前記第２の操作手段により要求される通信機能に応じて、前記機能情報格納手段から選択的に制御データコードを読み出し、この制御データコードに対応する通信機能を前記主装置との間で実行する制御手段とを具備したことを特徴とするボタン電話システムのボタン電話端末。
【請求項２】
前記第２の操作手段は、前記第２の通信機能群中の通信機能を要求するための複数のキーを前記端末本体上に配置してなることを特徴とする請求項１記載のボタン電話システムのボタン電話端末。
【請求項３】
前記機能情報格納手段に格納される機能情報は、オートダイヤル及びフレキシブルキーのうち少なくとも一方を表すことを特徴とする請求項１記載のボタン電話システムのボタン電話端末。
【発明の詳細な説明】
【０００１】
【発明の属する技術分野】
この発明は、例えばボタン電話システムに用いられるボタン電話端末の機能拡張を図るようにしたボタン電話システムのボタン電話端末に関する。
【０００２】
【従来の技術】
周知のように、ボタン電話システムにあっては、使用すべく機能を拡張するために、複数の機能キーを備えたアドオンモジュール（ＡＤＭ）をボタン電話端末に接続し、アドオンモジュール上の複数の機能キーの中から任意の機能キーが押下されることで選択した機能を実行するようにしたものが提唱されている（例えば特許文献１及び特許文献２）。
【０００３】
近年では、高機能化のため、電話機本体に機能キーを追加した新たなボタン電話端末の開発も検討されている。
【０００４】
【特許文献１】
特開平４−１９２６９８号公報。
【０００５】
【特許文献２】
特開平４−２３９８９８号公報。
【０００６】
【発明が解決しようとする課題】
ところが、上記新たなボタン電話端末は、既に市場に出ている旧来からの主装置に接続することができない。これを解決するためには、主装置のソフト変更またはシステム変更を行う必要があり、コストが増大してしまうことになる。
【０００７】
この発明の目的は、主装置のソフトウェアを変更することなく、新たな機能を追加することが可能なボタン電話システムのボタン電話端末を提供することにある。
【０００８】
【課題を解決するための手段】
この発明は、上記目的を達成するために、以下のように構成される。
複数の端末と、これら複数の端末に対しそれぞれ通信ポートを介して接続可能な主装置とを備え、端末と主装置との間で互いに使用すべく制御データコードが異なる既知の第１の通信機能群を実行するための第１の操作手段を端末に設けたデジタルボタン電話システムで端末として使用され、端末と主装置との間で第１の通信機能群とは異なる第２の通信機能群を実行するための第２の操作手段を備えた機能拡張部を、端末に接続可能であり、機能拡張部が端末に接続された場合に、第２の操作手段により該第２の通信機能群の中から任意の機能の制御データコードが選択されることで選択した通信機能を実行するボタン電話端末であって、端末本体に第２の操作手段を設け、かつ第２の通信機能群のそれぞれを表す機能情報を、機能拡張部で使用されている制御データコードごとに格納する機能情報格納手段と、第２の操作手段により要求される通信機能に応じて、機能情報格納手段から選択的に制御データコードを読み出し、この制御データコードに対応する通信機能を前記主装置との間で実行する制御手段とを備えるようにしたものである。なお、第２の操作手段は、第２の通信機能群中の通信機能を要求するための複数のキーを端末本体上に配置してなることを特徴とする。
【０００９】
この発明によれば、機能拡張部に備えられていた第２の操作手段を端末本体に設けただけでなく、機能拡張部に備えられていた第２の通信機能群それぞれを表す機能情報を、機能拡張部で使用されている制御データコードに対応付けて端末本体のメモリに記憶しておくことにより、第２の操作手段により通信機能が要求された際に、主装置との間で実行すべく第２の通信機能群のうちの任意の通信機能が特定される。
【００１０】
従って、主装置のソフトウェア変更やシステム全体の変更を行うことなく、旧来より存在する主装置に対しても適用することが可能なボタン電話端末を実現することができる。また、アドオンモジュールといった機能拡張部を接続した場合に比べて、部品点数の削減及びスペースの縮小を可能にして、システム全体の小型化とコストダウンを図ることができる。
【００１１】
【発明の実施の形態】
以下、この発明の実施形態について図面を参照して詳細に説明する。
図１は、この発明に係わるデジタルボタン電話システムのデジタルボタン電話端末の一実施形態を示す概略構成図である。
【００１２】
図１において、符号１はデジタルボタン電話端末本体で、その前面パネル部には、ＣＲＴあるいはＬＣＤ等を使用した表示器の表示画面１０が配置され、さらにこの表示画面１０の下方パネル部にはダイヤルキー１１、機能キー１２、オートダイヤルキー１３、フレキシブルキー（ＦＫ２１〜ＦＫ２４）１４，フレキシブルキー（ＦＫ１〜ＦＫ２０）１５が配設されている。
【００１３】
このうちダイヤルキー１１、機能キー１２及びフレキシブルキー１５は、既知のデジタルボタン電話端末に設けられているものである。オートダイヤルキー１３及びフレキシブルキー１４は、後述するＡＤＭ（アドオンモジュール）に設けられている機能キーである。
【００１４】
一方、デジタルボタン電話端末本体１の回路構成は次のようになっている。図２はその構成を示す回路ブロック図である。
【００１５】
同図に示すようにデジタルボタン電話端末１は、ピンポン伝送部２１、通話処理部２２、ハンドセット２３、制御部２４、機能情報記憶部２５及び操作パネル２６を有している。
【００１６】
ピンポン伝送部２１は、ボタン電話主装置３との間でピンポン伝送により種々のデータの授受を行なう。また、ピンポン伝送部２１は、ボタン電話主装置３から送られてきた伝送信号中からシリアル通話信号やシリアルＤｃｈ信号を抽出し、シリアル通話信号を通話処理部２２へ、シリアルＤｃｈ信号を制御部２４へとそれぞれ与える。さらにピンポン伝送部２１は、通話処理部２２や制御部２４から与えられるシリアルデータ信号を時分割多重して伝送信号を生成し、送信する。
【００１７】
通話処理部２２は、ピンポン伝送部２１から与えられるシリアル通話信号に含まれる通話データを取り出して、この通話データからアナログの受話音声信号を再生する。そして、通話処理部２２は、この再生した受話音声信号によりハンドセット２３の受話器を駆動し、受話音声の出力を行なわせる。また、通話処理部２２には、ハンドセット２３の送話器で生成されたアナログの送話音声信号が入力される。通話処理部２２は、この送話音声信号を所定形態のシリアル通話信号に変換して、ピンポン伝送部２１へと与える。
【００１８】
制御部２４は、ＣＰＵ、ＲＯＭ、ＲＡＭなどを有して構成され、ソフトウェア処理により本デジタルボタン電話端末１の各部の制御やボタン電話主装置３との間でのデータ通信処理を行なう。
【００１９】
機能情報記憶部２５は、内線キー、外線キー、ＤＳＳキー、オートダイヤルキー、フレキシブルキーといったボタン電話主装置３との間で実行すべき機能を表す機能情報を、制御データコードごとに記憶している。この制御データコードは、ダイヤルキー１１、機能キー１２、オートダイヤルキー１３、フレキシブルキー１４，１５に対しボタン電話主装置３から設定機能ごとに割り当てられるものである。
【００２０】
これに対し、制御部２４は、ダイヤルキー１１、機能キー１２、オートダイヤルキー１３、フレキシブルキー１４，１５の少なくとも１つが押下された場合に、この押下キーに対応する制御データコードを機能情報記憶部２５から読み出し、この制御データコードに基づく通信機能をボタン電話主装置３との間で実行する。
【００２１】
操作パネル２６は、ダイヤルキー１１、機能キー１２、オートダイヤルキー１３、フレキシブルキー１４，１５による制御部２４に対する各種の指示入力を受け付けたり、ユーザに対する各種の情報報知を制御部２４の制御の下に行なう。
【００２２】
次に、上記構成による動作について説明する。
まず、周知となるデジタルボタン電話端末４では、機能追加を行うために、図３に示す如くＡＤＭ５を接続可能としている。このデジタルボタン電話端末４には、その前面パネル部に、ＬＣＤ（Ｌｉｑｕｉｄ  Ｃｒｙｓｔａｌ  Ｄｉｓｐｌａｙ）等を使用した表示器の表示画面４０が配置され、さらにこの表示画面４０の下方パネル部にはダイヤルキー４１、機能キー４２、２０個のフレキシブルキー４３が配設されている。また、各キー４１，４２，４３には、ＬＥＤ（Ｌｉｇｈｔ  Ｅｍｉｔｔｉｎｇ  Ｄｉｏｄｅ）が備えられている。これら２０個のフレキシブルキー４３には、ボタン電話主装置３からの設定により内線キー、外線キー、オートダイヤルキー等の種々の機能が設定できるようになっている。
【００２３】
また、ＡＤＭ５には、２０個のＡＤＭキー５１が配設されている。また、ＡＤＭキー５１には、ＬＥＤが備えられている。これら２０個のＡＤＭキー５１には、ボタン電話主装置３からの設定によりＤＳＳキー、外線キー、オートダイヤルキー等の種々の機能が設定できるようになっている。
【００２４】
しかしながら、機能追加設定を行う際に、ユーザは別途ＡＤＭ５を購入しなければならず、その分費用負担が大きくなる。また、ＡＤＭ５において、デジタルボタン電話端末４と同一の機能が割り当てられているＡＤＭキー５１は使用されないこととなり、さらに使用頻度の低いＡＤＭキー５１があると回路的に無駄が多くなってしまうことになる。
【００２５】
そこで、この実施形態では、図４に示すように、ＡＤＭ５に備えられていたＡＤＭキー５１の一部、つまり「ＡＤＭ１１〜ＡＤＭ２０」のキーをオートダイヤルキー（ＡＤ１〜ＡＤ１０）１３としてデジタルボタン電話端末本体１に設けるようにし、「ＡＤＭ１〜ＡＤＭ４」のキーをフレキシブルキー（ＦＫ２１〜ＦＫ２４）１４としてデジタルボタン電話端末本体１に設けるようにし、さらにオートダイヤルキー１３及びフレキシブルキー１４に設定された機能を、ＡＤＭ５で既に使用されている制御データコードに対応付けて機能情報記憶部２５に登録しておくようにしている。
【００２６】
ここで、ユーザが例えばオートダイヤルキー１３中の「ＡＤ１」のキーが押下されたとする。すると、制御部２４は「ＡＤ１」のキーに対応する制御データコードを機能情報記憶部２５から読み出し、この制御データコードを含む要求信号をボタン電話主装置３に送信する。この要求信号を受け取るとボタン電話主装置３は、該要求信号に含まれる制御データコードに基づいて、「ＡＤ１」のキーが押下されたことを認識し、「ＡＤ１」に設定された例えば発信電話番号「０４２−９８７−６５４３」に対する発信を行う。そして、発信電話番号「０４２−９８７−６５４３」の電話端末が着信応答したならば、要求元のデジタルボタン電話端末１と発信先の電話端末との間に通信リンクを形成する。
【００２７】
以上のように上記実施形態では、ＡＤＭ５に備えられていたＡＤＭキー５１の一部、つまり「ＡＤＭ１１〜ＡＤＭ２０」のキーをオートダイヤルキー（ＡＤ１〜ＡＤ１０）１３としてデジタルボタン電話端末本体１に設けるようにし、「ＡＤＭ１〜ＡＤＭ４」のキーをフレキシブルキー（ＦＫ２１〜ＦＫ２４）１４としてデジタルボタン電話端末本体１に設けるようにし、さらにオートダイヤルキー１３及びフレキシブルキー１４に設定された機能を、ＡＤＭ５で既に使用されている制御データコードに対応付けて機能情報記憶部２５に登録しておくようにしているので、オートダイヤルキー１３及びフレキシブルキー１４の少なくとも一方が押下された際に、ボタン電話主装置３との間で実行すべく任意の通信機能が特定される。
【００２８】
従って、ボタン電話主装置３のソフトウェア変更やボタン電話主装置３の改修を行うことなく、旧来より存在するボタン電話主装置３に対しても適用することが可能なボタン電話端末１を実現することができる。
【００２９】
また、ＡＤＭ５を接続した場合に比べて、部品点数の削減及びスペースの縮小を可能にして、システム全体の小型化とコストダウンを図ることができる。これは、小型軽量化が特に要求されるデジタルボタン電話端末本体１にあっては極めて有効である。
【００３０】
なお、この発明は上記実施形態に限定されるものではない。例えば上記実施形態では、デジタルボタン電話端末本体１にオートダイヤルキー１３及びフレキシブルキー１４を新たに設ける例について説明した。しかしこれに限ることなく、オートダイヤルキー１３及びフレキシブルキー１４のうちいずれか一方であってもよい。また、オートダイヤルキー１３及びフレキシブルキー１４の機能キーを設けるようにしてもよい。
【００３１】
その他、オートダイヤルキー、フレキシブルキー等の操作手段の形状や大きさ、構造については、実行すべく通信機能に応じて如何様にも構成することができ、またデジタルボタン電話端末の回路構成等についても、この発明の要旨を逸脱しない範囲で種々変形して実施できる。
【００３２】
【発明の効果】
以上詳述したようにこの発明によれば、主装置のソフトウェアを変更することなく、新たな機能を追加することが可能なボタン電話システムのボタン電話端末を提供することができる。
【図面の簡単な説明】
【図１】この発明の一実施形態におけるデジタルボタン電話端末本体の構成を示す平面図。
【図２】同実施形態におけるデジタルボタン電話端末本体の回路構成を示すブロック図。
【図３】周知のデジタルボタン電話端末とＡＤＭ（アドオンモジュール）との接続構成を示す平面図。
【図４】同実施形態におけるデジタルボタン電話端末本体に対するオートダイヤルキー及びフレキシブルキーの割り当て構成を示す図。
【符号の説明】
１…デジタルボタン電話端末本体、３…ボタン電話主装置、５…ＡＤＭ（アドオンモジュール）、１０…表示画面、１１…ダイヤルキー、１２…機能キー、１３…オートダイヤルキー、１４，１５…フレキシブルキー、２１…ピンポン伝送部、２２…通話処理部、２３…ハンドセット、２４…制御部、２５…機能情報記憶部、２６…操作パネル。
【図１】
2004282206.tif 000003
【図２】
2004282206.tif 000004
【図３】
2004282206.tif 000005
【図４】
2004282206.tif 000006